(57)【要約】【課題】電解液の初期の調合時に別容器を設ける必要が無いとともに、液体抵抗器本体内への電解液の注入作業を何回も行う必要が無く、電解液補助タンク内及び液体抵抗器本体内の電解液の濃度調整が容易であるとともに、電解液の濃度調整の際にも別容器を必要としない。【解決手段】電解液が収納される液体抵抗器本体６のタンク７に取り付けられた電解液補助タンク８に電解液を貯蔵するとともに、第１のバルブ９を有する水の流入口１０と第２のバルブ１１を有する電解液原液の流入口１２を設け、電解液補助タンク８には貯蔵された電解液と水と電解液原液とを循環により撹拌混合する液循環ポンプ１３を設け、電解液補助タンク８から液体抵抗器本体６内への電解液の流入部に第３のバルブ１６を設ける。【選択図】図１
2007288874.tif 000002
【特許請求の範囲】
【請求項１】
タンク内に電極が設けられるとともに、電解液が収納される液体抵抗器本体と、液体抵抗器本体のタンクに取り付けられ、電解液を貯蔵するとともに、第１のバルブを有する水の流入口と第２のバルブを有する電解液原液の流入口が設けられた電解液補助タンクと、電解液補助タンクに設けられ、貯蔵された電解液と流入された水と流入された電解液原液とを循環により撹拌混合する液循環ポンプと、電解液補助タンクから液体抵抗器本体内への電解液の流入部に設けられた第３のバルブとを備えたことを特徴とする液体抵抗器。
【請求項２】
電解液補助タンクから液体抵抗器本体内への電解液の流入部に電解液の濃度を検出するイオン濃度計を設けたことを特徴とする請求項１記載の液体抵抗器。
【請求項３】
電解液補助タンクに内部の電解液の液面を計測する液面計を設けたことを特徴とする請求項１又は２記載の液体抵抗器。
【発明の詳細な説明】
【技術分野】
【０００１】
この発明は、巻線形電動機等に用いられる液体抵抗器に関するものである。
【背景技術】
【０００２】
従来の巻線形電動機の液体抵抗器による速度制御もしくは始動を特許文献１に示された図３により説明する。図において、巻線形電動機１の始動もしくは速度制御は、接触器２を閉じ、液体抵抗器３を電動機１の２次回路に接続することにより行われる。そして、液体抵抗器３の電極間が最小位置になると、電動機１の一次回路の突入電流を抑制するために別の接触器２ａが閉じ、突入電流抑制抵抗器４が液体抵抗器３に電気的に並列に接続され、これにより２次回路短絡用接触器５を閉じたときの電動機１の１次回路の突入電流が回路上問題が発生しなくなるようになる。
【０００３】
上記したように、液体抵抗器は、電動機の特性及び用途に応じた抵抗値が必要になり、この抵抗値を得るために、適正濃度の炭酸ソーダ水溶液を調合し、電解液として使用する。
【特許文献１】特開２０００−２５３６８４号公報
【発明の開示】
【発明が解決しようとする課題】
【０００４】
ところで、液体抵抗器の電解液の調合においては、液体抵抗器とは別に空容器を用意し、この空容器内において水に炭酸ソーダを少量ずつ溶かし込んでゆく。一度に大量の炭酸ソーダを水に溶かしこんでゆくことはできないため、何回かに分けてこの作業を行うが、その都度電解液を液体抵抗器のタンク内に注入しなければならないため、手間がかかった。又、液体抵抗器の抵抗値は、電解液の濃度、液温により変化するため、抵抗値を管理するためには、電解液の定期的なメンテナンスが必要になる。電解液の濃度を薄くするためには、水を補給するだけで良いが、濃度を濃くするためには、炭酸ソーダを補充しなければならないため、別容器を用意して、補充用の溶液を再度調合しなければならない。
【０００５】
この発明は上記のような課題を解決するために成されたものであり、電解液の初期の調合時に別容器を設ける必要がないとともに、液体抵抗器本体内への電解液の注入作業を何回も行う必要が無く、また電解液補助タンク内及び液体抵抗器本体内の電解液の濃度調整が容易であるとともに、電解液の濃度調整の際にも別容器を必要としない液体抵抗器を得ることを目的とする。
【課題を解決するための手段】
【０００６】
この発明の請求項１に係る液体抵抗器は、タンク内に電極が設けられるとともに、電解液が収納される液体抵抗器本体と、液体抵抗器本体のタンクに取り付けられ、電解液を貯蔵するとともに、第１のバルブを有する水の流入口と第２のバルブを有する電解液原液の流入口が設けられた電解液補助タンクと、電解液補助タンクに設けられ、貯蔵された電解液と流入された水と流入された電解液原液とを循環により撹拌混合する液循環ポンプと、電解液補助タンクから液体抵抗器本体内への電解液の流入部に設けられた第３のバルブとを備えたものである。
【０００７】
請求項２に係る液体抵抗器は、電解液補助タンクから液体抵抗器本体内への電解液の流入部に電解液の濃度を検出するイオン濃度計を設けたものである。
【０００８】
請求項３に係る液体抵抗器は、電解液補助タンクに内部の電解液の液面を計測する液面計を設けたものである。
【発明の効果】
【０００９】
以上のようにこの発明の請求項１によれば、液体抵抗器本体のタンクに取り付けられた電解液補助タンクに電解液を貯蔵するとともに、第１のバルブを有する水の流入口と第２のバルブを有する電解液原液の流入口を設けたので、これらの流入口から水及び電解液原液を流入させることにより電解液濃度を自在に調整することができ、電解液濃度の調整のために別の容器を使用する必要が無い。又、電解液補助タンクから液体抵抗器本体内への電解液の流入部に第３のバルブを設けたので、液体抵抗器本体内での電解液の初期の調合時及び補充時には第３のバルブを開くことにより液体抵抗器本体内への電解液の注入を容易に行うことができ、別容器による調合は必要でなく、注液を何度も行う必要が無い。又、電解液補助タンク内の電解液濃度の調整が容易であるから、電解液補助タンクから液体抵抗器本体内への電解液の流入量を調整することにより液体抵抗器本体内の電解液濃度の調整も容易となる。また、電解液補助タンクに液循環ポンプを設けたので、貯蔵された電解液と水と電解液原液との撹拌混合を液循環ポンプの液循環により行うことができ、人力で撹拌する必要がなく、電解液の調合を短時間で行うことができる。
【００１０】
請求項２によれば、電解液補助タンクから液体抵抗器本体への電解液の流入部に電解液の濃度を検出するイオン濃度計を設けたので、電解液の濃度管理を精度良く行うことができる。
【００１１】
請求項３によれば、電解液補助タンクに液面計を設けたので、電解液補助タンクにどの程度の電解液が貯蔵されているかを検出することができる。
【発明を実施するための最良の形態】
【００１２】
以下、この発明を実施するための最良の形態を図面とともに説明する。図１及び図２はこの発明の実施最良形態による液体抵抗器の正面図及び側面図を示し、６は液体抵抗器本体であり、タンク７内に電極（図示せず）が設けられるとともに、炭酸ソーダ水溶液からなる電解液が収納される。８は液体抵抗器本体６のタンク７に取り付けられた電解液補助タンクであり、電解液が貯蔵されるとともに、第１のバルブ９を有する水の流入口１０と第２のバルブ１１を有する電解液原液（炭酸ソーダ）の流入口１２が設けられる。又、電解液補助タンク８には、循環により貯蔵された電解液と流入された水と流入された電解液原液とを撹拌混合する液循環ポンプ１３が設けられる。また、液体抵抗器本体６のタンク７には電解液の流入口１４が設けられ、電解液補助タンク８から流入口１４まで配管１５が接続され、配管１５には第３のバルブ１６が設けられる。さらに、電解液補助タンク８から液体抵抗器本体６内への電解液の流入部には、電解液の濃度を検出するイオン濃度計１７が設けられ、また電解液補助タンク８には電解液の液面を検出する液面計１８を設ける。
【００１３】
上記した実施最良形態においては、液体抵抗器本体６は電解液の濃度により抵抗値が変化するため、抵抗値を調整するためには、貯蔵された電解液に水を混合したり、電解液原液を混合しなければならないが、電解液補助タンク８に第１のバルブ９を有する水の流入口１０及び第２のバルブ１１を有する電解液原液の流入口１２を設けたので、これらの流入口から水及び電解液原液を流入させることにより電解液補助タンク８に貯蔵される電解液の濃度を自在に調合することができ、別容器で調合する必要がない。又、電解液補助タンク８から液体抵抗器本体６内への電解液の流入部に第３のバルブ１６を設けたので、電解液の初期の調合時及び補充時には第３のバルブ１６を開くことにより電解液補助タンク８から液体抵抗器本体６内への電解液の注入を容易に行うことができ、やはり別容器による調合は必要でなく、また注液を何度も行う必要が無い。又、電解液補助タンク８内の電解液濃度の調整が容易であるから、電解液補助タンク８から液体抵抗器本体６内への電解液の流入量を調整することにより液体抵抗器本体６内の電解液濃度の調整も容易となる。また、電解液補助タンク８に液循環ポンプ１３を設けたので、貯蔵された電解液と水と電解液原液との撹拌混合を液循環ポンプ１３の液循環により行うことができ、人力で撹拌する必要がなく、電解液の調合を短時間で行うことができる。
【００１４】
また、電解液補助タンク８から液体抵抗器本体６への電解液の流入部には、電解液の濃度を検出するイオン濃度計１７を設けたので、電解液の濃度管理を精度良く行うことができる。さらに、電解液補助タンク８に液面計１８を設けたので、電解液補助タンク８にどの程度の電解液が貯蔵されているかを検出することができる。
【図面の簡単な説明】
【００１５】
【図１】この発明の実施最良形態による液体抵抗器の正面図である。
【図２】この発明の実施最良形態による液体抵抗器の側面図である。
【図３】特許文献１に示された従来の液体抵抗器を用いた巻線形電動機の構成図である。
【符号の説明】
【００１６】
６…液体抵抗器本体
７…タンク
８…電解液補助タンク
９，１１，１６…バルブ
１０…水の流入口
１２…電解液原液の流入口
１３…液循環ポンプ
１４…電解液の流入口
１５…配管
１７…イオン濃度計
１８…液面計
【図１】
2007288874.tif 000003
【図２】
2007288874.tif 000004
【図３】
2007288874.tif 000005